(57)【要約】【課題】操作パネルを安定保持しつつ無段階の角度調整を行う。【解決手段】装置の筐体７の上面に形成された支持凹部２１の内部には、上面側を操作面２１ａとした操作パネル２２が設けられる。操作パネルの下面と支持凹部２１の内面は略一致する湾曲面である。操作パネルは、その両端面にある一対の軸部２４により支持凹部の孔２３に回動可能に係合する。操作パネル２２の両端に対し、一対の軸部２４は、横長の操作パネルにおいて縦方向の中央位置を通過する横方向の中心線と一致する中央位置にあり、かつ操作パネルの下面に近接した位置にある。軸部２４には、支持凹部に隣接して支持筐体の上面に突出するダイアル２６が連動連結される。ダイアルの操作で操作パネルの角度が調整できる。【選択図】図２
0003116757.tif 000002
【実用新案登録請求の範囲】
【請求項１】
装置の筐体の上面に形成された支持凹部の内部に収納され、上面側を操作面とした操作パネルと、
前記操作パネルの両端面の各中心にそれぞれ突設され、前記支持凹部の両端部に軸支されて前記操作パネルを前記支持凹部の内部で回動自在に支持する一対の軸部と、
前記軸部に連動連結されて前記操作パネルの前記支持凹部内における傾斜状態を設定する傾斜調整手段と、
を備えたことを特徴とする操作パネル装置。
【請求項２】
前記軸部が、前記操作パネルの下面に近接した両端面にそれぞれ突設され、
前記傾斜調整手段が、前記支持凹部の隣接位置において前記支持筐体の上面に少なくとも一部が突出し、手動により操作されて前記操作パネルの傾斜を調整する傾斜調整用のダイアルであることを特徴とする請求項１記載の操作パネル装置。
【請求項３】
前記軸部と前記ダイアルとが直接連結されていることを特徴とする請求項２記載の操作パネル装置。
【請求項４】
前記軸部と前記ダイアルとが複数のギア列を介して連結されていることを特徴とする請求項２記載の操作パネル装置。
【請求項５】
前記傾斜調整手段が前記軸部に連結されたモータであり、前記筐体の所定位置に設けた正逆操作用のスイッチを介して操作することにより前記操作パネルを任意の角度で前傾または後継させるようにしたことを特徴とする請求項１記載の操作パネル装置。
【請求項６】
前記支持凹部の内面が円筒形の内周面の一部をなす形状に形成され、
前記操作パネルの下面が前記支持凹部の内面に対応した円筒形の外周面の一部をなす形状に形成され、
前記軸部が、前記操作パネルの底面及び前記支持凹部の各周面の中心と実質的に同軸となる位置に設けられていることを特徴とする請求項１記載の操作パネル装置。
【考案の詳細な説明】
【技術分野】
【０００１】
本考案は、各種オフィス機器類に表示部として設けられ、ユーザーの身体特性に応じて当該表示部の傾斜角度を任意に設定できる操作パネル装置に関する。
【背景技術】
【０００２】
例えば最近の孔版印刷装置は、画像形成機能を備えるだけでなく、回線を介してパソコンに接続されて当該パソコンからの指示で画像を形成したり、あるいは装置の状態を当該パソコンに伝達する等の通信機能を内蔵するものもあり、複数のパソコンからの指令に基づいてそれぞれのタスクを効率的に実行できるようになっている。
【０００３】
このように多機能化を図ることにより、近年の孔版印刷装置の操作パネルは大型化し、また装置そのものも、各種給紙トレイを多段にスタックしたり、各種機能を実行させるためのソフトの格納庫を最下段に設ける等のため、背が高いものとなる場合があった。そのような場合に操作パネルが固定式であると、天井部からの蛍光灯の光等により角度によっては表示面が見にくくなり、椅子に座った状態や車椅子利用者のように目線が低い位置では、見えにくいと同時に操作パネルの各種キー操作にも支障がでることがあった。
【０００４】
そこで、操作パネルの角度を調整可能とした操作パネル装置が開発されている。
図９はオフィス機器の一例である孔版印刷装置や複写装置等の画像形成装置１（以下単に装置という）と、その周縁に配置される複数のパソコン２を示している。前記装置１に隣接して配置される各机３上におかれた前記パソコン２は、データ転送ケーブル４を通じて前記装置１に接続している。
【０００５】
前記装置１は、その頂面にコンタクトガラス５を設け、前面に操作パネル６を配置した装置本体である筐体７と、筐体７の下部に２段に積層配置された引出し式給紙トレイ８と、給紙トレイ８の下部に配置された格納庫９とを備えている。
【０００６】
前記操作パネル６は、上面中央にタッチパネル方式の液晶表示部を設けるとともに、その周縁にタスクの切替キー、各種設定キー、テンキー、実行キー、クリアキーなどを配したもので、図１０に拡大して示すように、ヒンジ部１０を介して水平面より所定の傾斜角度θまで前傾可能とし、その角度を調整する場合には、操作パネル６の下面に設けた操作レバー１１を操作することで任意の角度に調整可能とし、前傾により液晶表示部を見やすく、しかも各種キーの操作性が向上するようにしている。なお、この種の操作パネル６を傾動式とすることは、ユニバーサルデザインのうえからも注目されている。
【０００７】
しかしながら、以上の機構を備えた従来の操作パネル装置にあっては、次に述べる技術課題があった。
【考案の開示】
【考案が解決しようとする課題】
【０００８】
まず、操作パネル６がヒンジ部１０を基点として水平状態から前傾位置まで傾動するため、筐体７の正面に操作パネル６が突出し、かつ傾動部分の下支え部分がないため、不安定な支持形態となる。
【０００９】
また支持を確実とするためには、その傾動角度毎に確実に止めるためのストッパ手段を必要とし、このため傾斜角度は２〜３段階程度であり、ユーザが任意の角度を選ぶことができなかった。
【００１０】
さらに角度の切替は、操作パネル６の裏側にあるレバー１１をつかんで行わなければならないため、操作位置が分りづらく、操作もやりにくかった。
【００１１】
本考案は、以上の課題を解決するためになされたものであり、その目的は、操作パネルを安定的に保持した上で、無段階の角度調整を行えるようにした操作パネル装置を提供するものである。
【課題を解決するための手段】
【００１２】
前記目的を達成するため、請求項１に記載された操作パネル装置は、
装置の筐体の上面に形成された支持凹部の内部に収納され、上面側を操作面とした操作パネルと、
前記操作パネルの両端面の各中心にそれぞれ突設され、前記支持凹部の両端部に軸支されて前記操作パネルを前記支持凹部の内部で回動自在に支持する一対の軸部と、
前記軸部に連動連結されて前記操作パネルの前記支持凹部内における傾斜状態を設定する傾斜調整手段と、
を備えたことを特徴としている。
【００１３】
請求項２に記載された操作パネル装置は、請求項１記載の操作パネル装置において、
前記軸部が、前記操作パネルの下面に近接した両端面にそれぞれ突設され、
前記傾斜調整手段が、前記支持凹部の隣接位置において前記支持筐体の上面に少なくとも一部が突出し、手動により操作されて前記操作パネルの傾斜を調整する傾斜調整用のダイアルであることを特徴としている。
【００１４】
請求項３に記載された操作パネル装置は、請求項２記載の操作パネル装置において、
前記軸部と前記ダイアルとが直接連結されていることを特徴としている。
【００１５】
請求項４に記載された操作パネル装置は、請求項２記載の操作パネル装置において、
前記軸部と前記ダイアルとが複数のギア列を介して連結されていることを特徴としている。
【００１６】
請求項５に記載された操作パネル装置は、請求項１記載の操作パネル装置において、
前記傾斜調整手段が前記軸部に連結されたモータであり、前記筐体の所定位置に設けた正逆操作用のスイッチを介して操作することにより前記操作パネルを任意の角度で前傾または後継させるようにしたことを特徴としている。
【００１７】
請求項６に記載された操作パネル装置は、請求項１記載の操作パネル装置において、
前記支持凹部の内面が円筒形の内周面の一部をなす形状に形成され、
前記操作パネルの下面が前記支持凹部の内面に対応した円筒形の外周面の一部をなす形状に形成され、
前記軸部が、前記操作パネルの底面及び前記支持凹部の各周面の中心と実質的に同軸となる位置に設けられていることを特徴としている。
【考案の効果】
【００１８】
したがって請求項１の考案では、前記操作パネルの回動中心である軸部が両端面の各中心（操作パネルを視認した状態における縦方向についての中央を通過する横線と一致する位置）にそれぞれ設けられているので、装置本体の前部において、従来の操作パネル装置のように操作パネルが大きく突出することがなく、傾斜調整手段の操作により操作パネルを回動させれば、表示面を任意の傾斜角度に調整・設定することができる。
【００１９】
請求項２の考案では、特に前記軸部を前記操作パネルの下面に近接した位置に設けることとしたので、操作パネルを円筒形よりも厚さの小さい薄型とし、支持凹部もこれに合せて小さなものとすることができ、こうせいが簡素化する。また、前記傾斜調整手段が支持筐体の上面に突出した手動式のダイアルなので、操作が容易で構成が簡単である。
【００２０】
請求項３の考案では、手動式のダイアルで操作パネルの傾斜角度を直接操作・設定することができ、操作が容易で構成が簡単である。
【００２１】
請求項４の考案では、操作パネルに隣接してダイアルを配置できない場合に好適である。また、ギアを奇数個とすることによりダイアルの回転方向と傾動方向を同一にでき、しかもダイアル側を小径ギア、操作パネル側を大径ギアとするギア配列により、小さな力で回動操作でき、傾動角度の微調整が可能となる。
【００２２】
請求項５の考案では、操作力が不要であり、かつモータの正逆回転用スイッチを最も操作しやすい位置に設けることができる。
【００２３】
請求項６の考案では、操作パネルの全傾動角度位置でその下面の円周状部分が支持凹部の内面に摺接しつつ回動ガイドされるため、操作パネルの下面は支持凹部により下支えされることとなり、安定した回動操作が可能である。
【考案を実施するための最良の形態】
【００２４】
以下、本考案を多機能形複写装置に適用した場合についてその最良の形態につき、図１〜図８を参照して説明する。なお、本考案の要部以外の構成は、前述する図９，図１０の構成とほぼ同様であるので、同一箇所には同一符号を援用し、異なる箇所あるいは、新たに説明を付加する箇所にのみ異なる符号を用いて説明する。
【００２５】
図１ないし図３は本考案の第１実施形態を示し、図１は画像形成装置１（装置１）の要部を分解して示す斜視図、図２（ａ），（ｂ）は同組立状態における操作パネルの見え方を示す斜視図、図３（ａ），（ｂ）は同要部断面図である。
【００２６】
図１において、この装置１は前記とほぼ同様に、その頂面に中折れ式リッド５ａによって開閉式に覆われるコンタクトガラス５を設けるとともに、中間位置において、前部及び一側部に開口する給紙用開口７ａを形成した装置筐体７と、筐体７の下部に２段に積層配置された引出し式給紙トレイ８と、給紙トレイ８の下部に配置された格納庫９とを備えている。
【００２７】
前記給紙用開口７ａの上部側には、前記筐体７の頂面より前部側に向けて斜めにオーバハング状に突出し、かつその最前部を筐体７の下部側の前面と同一面とした支持筐体２０が一体的に延設されている。
【００２８】
この支持筐体２０の中央部には、上側が開口し、上下方向に湾曲した内面が横方向に連続してなる支持凹部２１が形成されている。本例の湾曲した内面は、横置き円筒形の内周面の一部をなす形状に形成されている。この支持凹部２１内には、支持凹部２１の湾曲した内面に相当する湾曲した下面を備えた操作パネル２２が回動可能に支持されている。すなわち、本例の操作パネル２２の下面は、前記支持凹部の内面に対応した横置き円筒形の外周面の一部をなす形状に形成されている。
【００２９】
前記操作パネル２２は横方向に長いパネル体であり、その上面は横長略矩形の平坦な操作面２２ａであり、そのほぼ中央には表示部が設けられ、周縁にはテンキー、実行キー、クリアキー、各種設定キーなどの操作キー類が配され、その内部には図示しない回路機構が内蔵されている。操作パネル２２の両端には、前記支持凹部２１の両端下部に形成された軸孔２３（図では一方の端面のみ現れている）に回動可能に軸支される軸部２４がそれぞれ突設されている。操作パネル２２の両端に対し、一対の軸部２４は、横長の操作パネルにおいて縦方向の中央位置を通過する横方向の中心線と一致する中央位置にあり、かつ操作パネルの下面に近接した位置にある。
【００３０】
このうち、一方の軸部２４は、傾斜調整手段としての角度調整用ダイアル２６に直接軸結されている。このダイアル２６は、支持筐体２０の上面の一方にこれより一段低い位置に形成された段部２０ａに開口された切欠き２５を通じてその略半周を支持筐体２１の上面に覗かせるようになっており、このダイアル２６を指などで回すことにより、その方向に回動調整可能となっている。
【００３１】
また、前記操作パネル２２の他端側にはフレキシブルフラットケーブル２７が突出し、このケーブル２７は前記支持凹部２１の他端面に貫通されたスリット２８を通じて、前記筐体７内部の機器類と操作パネル２２内の駆動回路とを接続している。
【００３２】
なお、前記操作パネル２２の操作面２２ａは完全な矩形でなく、前縁中央が外方に向けて膨出した曲面形状であり、かつこの上面と下方の湾曲部分との間には段差が形成されている。この形状に応じて前記支持凹部２１の後部中央には切欠段部２１ａが形成され、この部分をストッパとして後傾位置が規制されるようになっている。また支持凹部２１の前縁２１ｂをストッパとして前傾位置が規制されるようになっている。
【００３３】
図２、図３は以上の操作パネル２２の組立状態における傾動位置を示している。まず、図２（ａ）及び図３（ａ）においては、操作パネル２２の操作面２２ａが支持筐体２０の表面と等しい傾斜となっており、その後縁の段部が前記切欠き段部２１ａに当接し、操作パネル２２が支持筐体２０のほぼ上面と同一面の傾斜状態に位置し、後傾位置を規制している。また操作パネル２２の下面の湾曲面は、前記支持凹部２１の内面に略一致し、安定に保持されている。
【００３４】
この状態では、目線を傾斜角と直交させる高さ位置に位置させることで表示が見やすいものとなり、この面と直交する斜め下向きの目線が最も表示の視認性が良く、蛍光灯などによる乱反射を防止できる。
【００３５】
この後傾位置から、ダイアル２６を手前側に回すことで、操作パネル２２は支持凹部２１から離れつつ回動してその操作面２２ａを前傾させ、図２（ｂ）、図３（ｂ）に示すように、操作パネル２２を直角位置まで前傾させることができ、この状態で操作パネル２２の湾曲した下面は前記支持凹部２１の前縁２１ｂに当接し、これのストッパ効果によりそれ以上の回動が阻止される。この状態では前記位置より低い位置であって水平の目線が最も視認性が良い。
【００３６】
但し、この状態からさらに前傾角度を大きくしたい場合には、前縁２１ｂの位置をさらに奥部に位置させることで、９０°以上の前傾角度にまで回動することができることも勿論である。
【００３７】
なお、図３（ａ），（ｂ）において、符号２９は排紙用開口７ａの奥部に形成された排紙用スリットであって、このスリットの上下に配置された複数のローラ及び除電ブラシの間を経て用紙が開口７ａ内に排紙される。
【００３８】
また、以上の実施形態においては特に操作パネル２２を所定の傾斜位置を保持するための機構を説明していないが、例えば前記軸部２４の外周に双方向ラチェットなどを設けるとともに、固定側にクリックストッパなどを突出させる構成を付加でき、このようにすることで、所定の回動角度毎に、クリックストッパがクリック音を伴いつつ小刻みにラチェット溝を乗越え、その位置に一時固定させることができる。
【００３９】
図４は本考案の第２実施形態を示すものであり、この実施形態では前記操作パネル２２の軸部２４に連動軸結される複数のギア列３０の端部に前記角度調整用ダイアル２６が連結されている。前記ギア列３０は図示しないギアボックスに軸受される軸３１，３２を介して配列される。
【００４０】
したがってこの第２実施形態では、スペースの関係でダイアル２６を軸部２４に直接取付けることができない場合や、操作パネル２２の重量が重く、直接回動操作するには力が必要な場合に好適であり、その小径ギアをダイアル２６側に軸結し、順次大径とするギア配列により、そのギア比に応じて小さな力で回動操作することができ、角度の微調整が可能であるほか、止めた場合にそのギア比に応じて、操作パネル２２を該当する傾斜角度位置に安定保持することができる。
【００４１】
またギア列３０を奇数個とすることにより、ダイアル２６の回転方向と操作パネル２２の傾動方向とを一致させることができる。
【００４２】
次に、図５は本考案の第３実施形態を示すものであり、本実施形態では、前記第２実施形態における前記ダイアル２６に替えて、前記操作パネル２２の軸部２４に連動軸結される前記ギア列３０の他端に、傾斜調整手段としての駆動源であるモータ３２を連結している。
【００４３】
したがってこの第３実施形態では、図の一部に模式化して示すように、装置筐体７の適宜位置に設けた、前傾、後傾の表示のある押釦スイッチ３３、３４を押し続けることで、それぞれの希望角度まで前傾または後傾させることができる。また後傾位置及び前傾位置における角度制限手段としてはマイクロスイッチなどの検出手段を設けてもよい。
【００４４】
本実施形態では、押釦スイッチ３３，３４の操作だけで良いため、操作力は不要であるほか、釦スイッチ３３，３４をユーザが最も操作しやすい位置に配置できる。
【００４５】
次に図６〜図８は操作パネルの形状を変更し、かつこれに応じて支持凹部の形状も変更した第４実施形態を示し、図６は複写装置１の要部を分解して示す斜視図、図７（ａ），（ｂ）は同組立状態における操作パネルの見え方を示す斜視図、図８（ａ），（ｂ）は同要部断面図である。
【００４６】
各図において、前記給紙用開口７ａの上部側には、前記筐体７の頂面より前部側に向けて斜めにオーバハング状に突出し、かつその最前部を筐体７の下部側の前面と同一面とした支持筐体４０が一体的に延設されている。
【００４７】
この支持筐体４０の中央部には、上側が開口し、上下方向に湾曲した内面が横方向に連続してなる支持凹部４１が形成されている。本例の湾曲した内面は、横置き円筒形の内周面の一部をなす形状に形成されている。この支持凹部４１内には、支持凹部４１の内面に相当する横置き円筒形の外周面の一部をなす形状に形成された下面を備える操作パネル２２が回動可能に支持されるようになっている。
【００４８】
前記操作パネル４２は横方向に長いパネル体であり、その上面は横長略矩形の平坦な操作面４２ａであり、そのほぼ中央には表示部が設けられ、周縁にはテンキー、実行キー、クリアキー、各種設定キーなどの操作キー類が配され、その内部には図示しない回路機構が内蔵されている。操作パネル４２の両端には、前記支持凹部４１の両端上部に形成された軸孔４３（図では一方の端面のみ現れている）に回動可能に軸支される軸部４４がそれぞれ突設されている。操作パネル４２の両端に対し、一対の軸部４４は、操作パネル４２の下面をなす円周の中心に同軸に突出しており、また軸孔４３は支持凹部４１の内面をなす周面の中心に開口している。従って、操作パネル４２は、その回動範囲の全域に亘り前記支持凹部４１の内面（周面）に摺接しつつ回動可能にガイドされる。
【００４９】
そして、一方の軸部４４は支持筐体４０の上面の一方に開口された切欠き４５を通じてその略半周を支持筐体４０の上面に覗かせる傾斜調整手段としての角度調整用ダイアル４６に連動連結され、このダイアル４６を指などで回すことにより、その方向に回動調整可能となっている。
【００５０】
また、符号４７は前記操作パネル２２の他端側に突出されたフレキシブルフラットケーブル、４８は前記支持凹部２１の他端面に半周状に形成され、ケーブル４７を受入れるためのスリットである。
【００５１】
なお、前記操作パネル４２の表示・操作面４２ａは完全な長方形でなく、前縁中央が外方に膨出した形状であり、これに応じて前記支持凹部４１の後部中央にはこの膨出部を受入れ、かつ垂直位置でのストッパを構成する切欠４１ａが形成されている。
【００５２】
したがって、組立状態では図７及び図８に示すように、操作パネル４２はその回動範囲全体に亘ってその下面の円周面を支持凹部４１の内面である円周面に支持された状態で回動ガイドされるため、全操作範囲で安定的な操作を行えることになる。
【００５３】
なお、以上の第４実施形態においても、前記図４に示す第２実施形態のごとく、ギア列を介してダイアルを回転させても良いし、前記図５に示す第３実施形態のごとくギア列を介してモータを正逆転させる構成も採用できる。
【００５４】
さらに、以上述べた各実施形態では、本考案の操作パネルを孔版印刷装置に適用した場合を示したが、他の例えば電子複写装置や多機能型複写装置などの機器類の操作パネルにも適用できることは勿論である。
【図面の簡単な説明】
【００５５】
【図１】本考案を多機能形複写装置に適用した第１実施形態における要部を分解して示す斜視図である。
【図２】（ａ），（ｂ）は同組立状態における操作パネルの傾斜角度を示す斜視図である。
【図３】（ａ），（ｂ）は同組立状態における操作パネルの傾斜角度を示す要部側面図である。
【図４】本考案の第２実施形態を示す分解斜視図である。
【図５】本考案の第３実施形態を示す分解斜視図である。
【図６】本考案の第４実施形態を示す分解斜視図である。
【図７】（ａ），（ｂ）は同組立状態における操作パネルの傾斜角度を示す斜視図である。
【図８】（ａ），（ｂ）は同組立状態における操作パネルの傾斜角度を示す要部側面図である。
【図９】従来の前傾式操作パネルを備えた多機能型複写装置とその周縁に接続されるパソコンとの関係を示す説明図である。
【図１０】同要部を示す側面図である。
【符号の説明】
【００５６】
７  装置の筐体
２０，４０  装置の筐体の一部である支持筐体
２１，４１  支持凹部
２２，４２  操作パネル
２２ａ，４２ａ  操作面
２４，４４  軸部
２６，４６  傾斜調整手段としてのダイアル
３０  ギア列
３２  傾斜調整手段としてのモータ
【図１】
0003116757.tif 000003
【図２】
0003116757.tif 000004
【図３】
0003116757.tif 000005
【図４】
0003116757.tif 000006
【図５】
0003116757.tif 000007
【図６】
0003116757.tif 000008
【図７】
0003116757.tif 000009
【図８】
0003116757.tif 000010
【図９】
0003116757.tif 000011
【図１０】
0003116757.tif 000012